【事件の表示】
　平成　２年特許願第　４１８７０号「画面カストマイズ方式」拒絶査定に対する審判事件［平成　３年１０月３０日出願公開、特開平　３−２４４０２２］について、次のとおり審決する。
【結　論】
　本件審判の請求は、成り立たない。
【理　由】
１．手続きの経緯・本願発明
　本願は、平成２年２月２１日の出願であって、その発明は、平成１２年８月２３日付け手続補正書で補正された明細書並びに図面の記載からみて、その特許請求の範囲に記載された次のとおりのものである。（以下、「本願発明」という。）
「画面を構成する為に必要な項目のデータ属性情報を含む画面構成情報を基に、画面を構築する為の画面表示情報を生成する画面表示情報構築部と、前記画面表示情報から表示画面を組み立て、該表示画面と表示データとを合成した画面を入出力装置のディスプレイに表示する画面表示部と、表示した画面に対する画面カストマイズ要求および画面カストマイズ終了要求を検出する画面カストマイズ要求検出部と、前記画面カストマイズ要求が検出されると、画面カストマイズの指示であるカストマイズ情報を入出力装置のディスプレイを利用して対話的に取得し、このカストマイズ情報を基に前記画面表示情報を更新する画面カストマイズ処理部と、前記画面カストマイズ終了要求が検出されると、前記画面表示情報からカストマイズ情報を抽出し、該カストマイズ情報を前記画面構成情報に含まれるデータ属性情報に登録するカストマイズ情報登録部とを備えることを特徴とする画面カストマイズ方式。」
２．引用例
　これに対して、当審において通知した拒絶理由に引用された特開平２−４３６１９号公報（以下、「第１の引用例」という。）には、
（ア）「本発明は、対話型ツールの画面カストマイズ方式に利用する。特に、対話型ツールが利用者とのインターフェースのために用いる画面において、その画面中の入出力項目のカストマイズ（たとえば、項目の画面中のタイトル、（中略））を対話型のツールの利用者が行うことができる画面カストマイズ方式に関するものである。」（公報第１頁右下欄第９行目〜第１７行目）
（イ）「しかし、このような従来例の画面カストマイズ方式では、対話型ツールの利用者が画面中の入出力項目をカストマイズする場合に利用者ごとの要望に応じて画面を静的に変更しなければならないので利用者が要望する全ての画面を用意し、保持しなければならずまた簡易に画面を変更することができない問題点があった。
　本発明は上記の問題点を解決するもので、対話型ツールの動作時に画面を簡易にカストマイズできる画面カストマイズ方式を提供することを目的とする。」（公報第２頁右上欄第６行目〜第１６行目）
（ウ）「ここで本発明の特徴とするところは、あらかじめ定められた画面カストマイズ言語が多数格納された言語ファイル４０を備え、命令受信部２１は、上記利用者の画面カストマイズ言語の読出指示を出力する手段を含み、対話型ツール２０は、この出力する手段の出力に従って言語ファイル４０から該当する内容を読出す言語読出部２４と、（中略）構文解析部２５の出力から画面中の入出力項目単位にカストマイズ情報を抽出する項目情報抽出部２６と、項目情報抽出部２６の出力が保持される項目情報保持部２７と、項目情報抽出部２６のカストマイズ指示に従って画面保持部２３および項目情報保持部２７の内容を読出してカストマイズを行う画面編集部２８とを含むことにある。」（公報第３頁左上欄第８行目〜右上欄第３行目）
（エ）「第１図〜第３図において、命令受信部２１は、対話型ツール２０と利用者とのインターフェースを司る画面を表示する端末１０に出力を要求する旨を示す画面出力命令を受けて出力要求の画面に該当する定型画面（対話型ツールの開発側であらかじめ用意されているもの）とこの定型画面を利用者独自にカストマイズするための画面カストマイズ言語とを各々が格納されている定型画面ファイル３０および言語ファイル４０から読出す読出指示を画面読出部２２と言語読出部２４とに出力する（Ｓ１）。」（公報第３頁右上欄第７行目〜第１６行目及び図面第１図〜第３図）
（オ）「画面編集部２８では、項目情報抽出部２６からの定型画面のカストマイズ指示を受けて、画面保持部２３に保持されている定型画面を項目情報保持部２７に保持されている入出力項目単位のカストマイズ情報に従ってカストマイズし、利用者独自の画面を構成する。（Ｓ９）」（公報第３頁右下欄第４行目〜第９行目）
と記載されている。
　このことから、第１の引用例には、次の発明が記載されている。
　定型画面と画面中の入出力項目単位のカストマイズ情報とを基に、画面を構築する為の画面表示情報をつくり、
　前記画面表示情報から組み立てた表示画面を端末１０の画面に表示する画面編集部２６と、
　表示した画面に対する画面出力命令を受けて、画面カストマイズのための要求である出力要求の画面に該当する定型画面読出指示とこの定型画面を利用者独自にカストマイズするための画面カストマイズ言語の読出指示とを入出力装置の端末１０の画面を利用して取得する命令受信部２１と、
前記読出指示があると、定型画面ファイル３０から定型画面を、言語ファイル４０から画面カストマイズ言語を読出し、この定型画面及び画面カストマイズ情報を基に前記画面表示情報を構成する画面編集部２６と、を有する画面カストマイズ方式。
　また、同じく、当審において通知した拒絶理由に引用された特開平１−３１４３６５号公報（以下、「第２の引用例」という。）には
（ア）「本発明のローカル画面ファイル作成方式では、入力制御部が表示装置で画面レイアウトを確認しながら会話的に操作員が行うキーボードからのローカル画面データの基礎となるデータのデータ入力等を制御し、ローカル画面データ生成部が入力制御部により制御されるキーボードからのローカル画面データの基礎となるデータのデータ入力に基づきローカル画面データの生成や更新を行い、ローカル画面データ記憶部がローカル画面データ生成部により生成や更新が行われたローカル画面データを一時的に格納し、ローカル画面表示部が表示装置に対してローカル画面データ記憶部中のローカル画面データに基づくローカル画面表示をオンラインプログラムによる画面表示と同様な形式で行い、ローカル画面データ入出力部がキーボードからのローカル画面データ出力要求に基づきローカル画面データ記憶部中のローカル画面データをローカル画面ファイルに出力しキーボードからのローカル画面データ入力要求に基づきローカル画面データ記憶部にローカル画面ファイル中のローカル画面データを入力する。」（公報第２頁左下欄第１８行目〜右下欄第１８行目）
（イ）「このローカル画面データ書込みに基づくローカル画面データ読込みおよびローカル画面表示が行われ、このローカル画面表示に基づいてローカル画面を修正する必要があるか否かの判断が繰り返される。
　上述の判断でローカル画面を修正する必要がなくなった場合には、操作員はキーボード６から入力制御部１にローカル画面データ出力要求を入力する。」（公報第３頁右下欄第４行目〜第１２行目）
（ウ）「ローカル画面データ出力要求を受け取ったローカル画面データ入出力部５は、ローカル画面データ記憶部４からローカル画面データ出力要求に係るローカル画面データを読み込み（ローカル画面データ読込みを行い）、読み込んだローカル画面データにローカル画面番号等の情報を付加し、ローカル画面データ出力要求により指定されたローカル画面ファイル８に出力する（ローカル画面データ出力を行う）。」（公報第３頁右下欄第１９行目〜第４頁左上欄第７行目）
と記載されている。
　このことから、第２の引用例には、次の発明が記載されている。
　表示装置で画面レイアウトを確認しながら会話的に操作員が行うキーボード６からのローカル画面データの基礎となるデータのデータ入力等を制御する入力制御部１と、入力制御部により制御されるキーボード６からのローカル画面データの基礎となるデータのデータ入力に基づきローカル画面データの生成や更新を行うローカル画面データ生成部３と、生成や更新が行われたローカル画面データを一時的に格納するローカル画面データ記憶部４と、表示装置７に対してローカル画面表示を行うローカル画面表示部２と、キーボード６からのローカル画面データ出力要求に基づきローカル画面データ記憶部４中のローカル画面データをローカル画面ファイル８に出力することで保持させ、かつキーボード６からのローカル画面データ入力要求に基づきローカル画面データ記憶部４にローカル画面ファイル８中のローカル画面データを入力するローカル画面データ入出力部５とを有するローカル画面ファイル作成方式。
３．対比
　そこで、本願発明と前記第１の引用例に記載された発明とを対比すると、第１の引用例における「入出力項目単位のカストマイズ情報」は、本願発明における「項目のデータ属性情報」に相当し、かつ第１の引用例における「定型画面」はそれを基に画面表示情報を作っているという点で本願発明における「画面構成情報」の一つに相当するから、第１の引用例における「画面編集部」は、画面を構成するために必要な項目のデータ属性情報を含む画面構成情報を基に画面表示情報を作る点で本願発明における「画面表示情報構築部」と、また、画面表示情報から表示画面を組み立てディスプレイに表示するものである点で本願発明における「画面表示部」とそれぞれ共通する。第１の引用例における「命令受信部」は、表示した画面に対する画面カストマイズ要求を取得する点で本願発明における「画面カストマイズ要求検出部」と共通する。さらに、第１の引用例における「画面編集部」は、画面カストマイズ情報を基に画面表示情報を構成する点で本願発明における「画面カストマイズ処理部」と共通する。そうすると、両者は、次の点で一致する。
　画面を構成する為に必要な項目のデータ属性情報を含む画面構成情報を基に、画面を構築する為の画面表示情報を生成する画面表示情報構築部と、
　前記画面表示情報から表示画面を組み立て、入出力装置のディスプレイに表示する画面表示部と、
　表示した画面に対する画面カストマイズ要求を検出する画面カストマイズ要求検出部と、
　前記画面カストマイズ要求が検出されると、画面カストマイズ情報を取得し、この画面カストマイズ情報を基に前記画面表示情報を更新する画面カストマイズ処理部と、
　を備える画面カストマイズ方式。
　そして、次の各点で相違する。
（１）画面表示部に関し、本願発明においては、表示画面と表示データとを合成した画面を入出力装置のディスプレイに表示するものであるのに対し、第１の引用例においては単に表示画面を端末に表示するものである点、
（２）画面カストマイズ要求検出部に関し、本願発明においては、画面カストマイズ要求とともに画面カストマイズ終了要求を検出するものであるのに対し、第１の引用例においては、画面カストマイズ要求を検出するものであるが画面カストマイズ終了要求を検出するものであるかどうかは言及されていない点、
（３）本願発明が、画面終了要求が検出されると、画面表示情報からカストマイズ情報を抽出し、該カストマイズ情報を画面構成情報に含まれるデータ属性情報に登録するカストマイズ情報登録部を備えるものであるのに対し、第１の引用例はこのようなカストマイズ情報に関する登録部を有するものではない点、
で両者は相違する。
４．当審の判断
　そこで上記相違点について検討する。
　相違点（１）について、画面表示の際に表示のフォーマットである表示画面情報と、表示される実際の中身のデータである表示データとを合成して出力装置に表示することは、一般に情報技術分野では極めてよく行われる慣用技術であり、第１の引用例に記載の画面カストマイズ方式においてこの慣用技術を適用することは当業者が容易になし得た程度のものである。
　相違点（２）については、第２の引用例において、ローカル画面データの更新が終了するとローカル画面データ入出力部５はキーボード６からのローカル画面データ出力要求に基づきローカル画面データ記憶部４中のローカル画面データをローカル画面ファイル８に出力することを行っており、このうち「画面データの更新」は本願発明における「画面のカストマイズ」に、「ローカル画面データ出力要求」は本願発明における「画面カストマイズ終了要求」に、また「ローカル画面ファイル」は本願発明における「カストマイズ情報登録部」にそれぞれ相当することから、第２の引用例には画面のカストマイズが終了すると終了要求を検出し、それによりカストマイズ情報を登録することが記載されているものと認められ、第１の引用例に記載の画面カストマイズ方式において上記第２の引用例に記載の事項を適用することは、当業者が容易になし得た程度のことである。
　相違点（３）については、カストマイズ後の終了要求を受けて画面情報を登録することは前記第２の引用例に記載されているから、第１の引用例において上記第２の引用例に記載のように、画面カストマイズが終了すると画面表示情報を生成する基となる画面構成情報を登録するようにすることは、当業者が容易になし得た程度のことである。
　そして、本願発明の効果は前記第１の引用例及び第２の引用例に記載されたものから、当業者であれば予測ができる程度のものであって格別のものとはいえない。
５．むすび
　したがって、本願発明は、本願出願前に国内で頒布された刊行物である前記第１、第２の引用例に記載された発明及び周知事項に基づいて、当業者が容易に発明をすることができたものであるから、特許法第２９条第２項の規定により特許を受けることができない。
　よって、結論のとおり審決する。